【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
リバースミネラルフィルタであって、
水は流れることができるが常在粒子は出ていかないチャンバと、
前記チャンバを通る水に溶解可能な少なくとも１種のミネラルを含む常在粒子の取り合わせと、
を備えるリバースミネラルフィルタ。
【請求項２】
請求項１に記載のリバースミネラルフィルタであって、
前記少なくとも１種のミネラルは、アンダルサイト（紅柱石）：Ａｌ2ＯＳｉＯ4、灰長石：ＣａＡｌ2Ｓｉ2Ｏ3、直閃石：（Ｍｇ，Ｆｅ）7Ｓｉ3Ｏ22（ＯＨ，Ｆ）2、燐灰石：Ｃａ5（ＰＯ4）3（ＯＨ，Ｆ，Ｃｌ）、黒雲母：Ｋ（Ｍｇ，Ｆｅ）3ＡｌＳｉＯ3Ｏ10（ＯＨ，Ｆ）2、緑泥石：（Ｍｇ，Ａｌ，Ｆｅ）12（Ｓｉ，Ａｌ）8０20（ＯＨ）16、コーディエライト（菫青石）：Ａｌ3（Ｍｇ，Ｆｅ）2Ｓｉ5Ａｌ2Ｏ18、ドロマイト（白雲石）：ＣａＭｇ（ＣＯ3）2、ホーンブレンド（普通角閃石）：（Ｃａ，Ｎａ，Ｋ）2-3（Ｍｇ，ＦｅＦｅ3+Ａｌ）5Ｓｉ6（Ｓｉ，Ａｌ）2Ｏ22（ＯＨ，Ｆ）2、マグネサイト（菱苦土鉱）：ＭｇＣＯ3、かんらん石：（Ｍｇ，Ｆｅ）ＳｉＯ4、タルク（滑石）：Ｍｇ3Ｓｉ4Ｏ10（ＯＨ）2、およびこれらの任意の組み合わせからなる群より選択される、リバースミネラルフィルタ。
【請求項３】
請求項１に記載のリバースミネラルフィルタであって、
前記チャンバは、更に、金属、塩、ガス、酸、および塩基からなる群より選択される成分を含む、リバースミネラルフィルタ。
【請求項４】
請求項１に記載のリバースミネラルフィルタであって、
前記少なくとも１種のミネラルは、粒子として構成され、前記ミネラルとの接触後に前記チャンバから出る水は、開始時の水が約０ｐｐｍの総溶解固形分（ＴＤＳ）を有する場合に少なくとも約２５０ｐｐｍのＴＤＳを有する、リバースミネラルフィルタ。
【請求項５】
ミネラルベースの水の風味向上器であって、
凝縮器と、
前記凝縮器と流体をやり取りする関係にある導電率計と、
少なくとも１種のミネラルを含有するミネラルチャンバであって、前記凝縮器および前
記導電率計と流体をやり取りする関係にあるミネラルチャンバと、
を備え、前記少なくとも１種のミネラルは、前記ミネラルチャンバを通る水を所望のミネラルウォータに似た味に風味付けするのに正しい量および粒子サイズである、風味向上器。
【請求項６】
水に風味付けする方法であって、
容器内において蒸気を水に凝縮させることと、
前記凝縮された水を、ミネラルを含むチャンバに通すことと、
を備える方法。
【請求項７】
デミスタチャンバを備えるデミスタであって、
デミスタチャンバは、
蒸気のための入口と、
廃棄蒸気のための第１の出口と、
清浄な蒸気のための第２の出口と、
を含み、
前記デミスタチャンバの少なくとも第１の表面は、沸騰チャンバ内に含まれる、または沸騰チャンバと直接境を接している、デミスタ。
【請求項８】
請求項７に記載のデミスタであって、
前記デミスタチャンバの前記第１の表面は、熱を伝える材料を含む、デミスタ。
【請求項９】
請求項７に記載のデミスタであって、
前記デミスタチャンバの前記第１の表面は、アルミニウム、アルミニウム合金、銅、銅合金、およびステンレス鋼からなる群より選択される金属を含む、デミスタ。
【請求項１０】
請求項７に記載のデミスタであって、
前記デミスタチャンバの容積の少なくとも５０％は、前記沸騰チャンバ内に含まれる、デミスタ。
【請求項１１】
請求項７に記載のデミスタであって、
前記デミスタチャンバの容積のおよそ１００％は、前記沸騰チャンバ内に含まれる、デミスタ。
【請求項１２】
請求項７に記載のデミスタであって、
前記デミスタチャンバの全表面のおよそ１００％は、前記沸騰チャンバ内に含まれる、デミスタ。
【請求項１３】
請求項７に記載のデミスタであって、
前記チャンバは、不良断熱体である材料を含む、デミスタ。
【請求項１４】
デミスタチャンバを備えるデミスタであって、
前記デミスタチャンバは、
蒸気のための入口であって、ボイラからの蒸気が前記デミスタチャンバ内において回転運動に追い立てられるように前記デミスタチャンバ上に配置される入口と、
廃棄蒸気のための第１の出口であって、調節可能なシャッタメカニズムを含む第１の出口と、
清浄な蒸気のための第２の出口であって、前記デミスタチャンバの上部に位置し、調節可能な降下管を含む第２の出口と、
を含み、
前記デミスタチャンバは、沸騰チャンバ内に位置する、デミスタ。
【請求項１５】
デミスタ内における水の凝縮を阻止する方法であって、
デミスタの外表面に熱を供給することを備え、
前記熱は、前記デミスタの少なくとも一部が含まれる沸騰チャンバによって供給される、方法。
【請求項１６】
請求項１５に記載の方法であって、
前記デミスタチャンバ内に入る蒸気を生成するため、そして前記デミスタの前記外表面を加熱するために、１つの沸騰チャンバが使用される、方法。
【請求項１７】
デミスタ内における凝縮を阻止するための方法であって、
前記デミスタの外表面に熱を加えることを備える方法。
【請求項１８】
圧力指示計であって、
第１の容積を第２の容積につなぐサイド通路であって、前記第１および第２の容積は、フィルタによって隔てられ、前記サイド通路の内部空間は、前記サイド通路の外側から見ることができる、サイド通路と、
前記サイド通路内を移動可能な前記サイド通路内の重り物体であって、前記移動は、前記第１の容積と前記第２の容積との間の圧力の変化に基づいて生じる、重り物体と、
を備える圧力指示計。
【請求項１９】
請求項１８に記載の圧力指示計であって、
前記サイド通路は、垂直向きである、圧力指示計。
【請求項２０】
請求項１８に記載の圧力指示計であって、
前記重り物体は、球である、圧力指示計。
【請求項２１】
請求項１８に記載の圧力指示計であって、
前記フィルタは、浄水フィルタである、圧力指示計。
【請求項２２】
請求項２１に記載の圧力指示計であって、
前記サイド通路は、更に、選択的保持装置を含み、前記選択的保持装置は、前記重り物体が通過するのを阻むが、水の流れは大きく阻まない、圧力指示計。
【請求項２３】
フィルタと組み合わされるフィルタフロー指示計であって、
前記組み合わせは、
水の通過を許容するように構成されたフィルタと、
前記フィルタによって隔てられた第１および第２の容積と、
前記第１の容積を前記第２の容積につなぐ、フィルタをともなわないサイド通路であって、前記サイド通路の内部空間は、前記サイド通路の外側から見ることができ、前記サイド通路の少なくとも一部は、垂直配置を有する、サイド通路と、
前記サイド通路内を移動可能な前記サイド通路内の重り球であって、前記第１の容積と前記第２の容積との間の圧力の変化に基づいて前記サイド通路内を所定のポイントまで自由に移動することができる重り球と、
水は自由に周囲を流れることができるが前記重り球はできないように、前記サイド通路の一部に渡されたピンであって、前記サイド通路内の所定のポイントを定めるピンと、
を含む、フィルタフロー指示計。
【請求項２４】
飲用水の浄水装置であって、
沸騰チャンバと、
前記沸騰チャンバと液体をやり取りする関係にある脱ガス器と、
前記沸騰チャンバと流体をやり取りする関係にある注水管と、
前記注水管の内側に配置された水フィルタと、
圧力指示計であって、１）前記注水管の第１の容積を前記注水管の第２の容積につなぐサイド通路であって、前記第１および第２の容積は、前記水フィルタによって隔てられ、前記サイド通路の内部空間は、前記サイド通路の外側から見ることができる、サイド通路と、２）前記サイド通路内を移動可能な前記サイド通路内の重り物体であって、前記移動は、前記第１の容積と前記第２の容積との間の圧力の変化に基づいて生じる、重り物体と、を含む、圧力指示計と、
前記沸騰チャンバと気体をやり取りする関係にあるデミスタであって、１）蒸気のための入口であって、前記沸騰チャンバからの蒸気が前記デミスタチャンバ内において回転運動に追い立てられるように前記デミスタチャンバ上に配置された入口と、２）廃棄蒸気のための第１の出口であって、調節可能なシャッタメカニズムを含む第１の出口と、３）清浄な蒸気のための第２の出口であって、前記デミスタチャンバの上部に位置し、調節可能な降下管を含む第２の出口と、を含み、前記デミスタチャンバは、前記沸騰チャンバ内に位置する、デミスタと、
前記清浄な蒸気のための出口と少なくとも気体をやり取りする関係にあるリバースミネラルフィルタであって、１）水は流れることができるが常在粒子は出ていかないチャンバと、２）前記チャンバを通る水に溶解可能な少なくとも１種のミネラルを含む常在粒子の取り合わせと、を含む、リバースミネラルフィルタと、
を備える浄水装置。
【手続補正２】
【補正対象書類名】明細書
【補正対象項目名】００４０
【補正方法】削除
【補正の内容】